(57)【特許請求の範囲】
【請求項１】
ジャバラホースの一端が固定される第１筒部と、
前記第１筒部がスライド可能に挿入され、上部端から前記第１筒部が伸び出るように支持する第２筒部と、
前記第２筒部の下端をピンで傾動可能に支持する第３筒部と、
前記第３筒部の下側に設けられ、パチスロ機のメダル取込み口に差込まれるノズル部と、
前記第１筒部乃至第３筒部と前記ノズル部を支持し、パチスロ機の背面に着脱可能に取り付けられる取付け部と、
が備えられ、
前記取付け部が前記パチスロ機の背面に取り付けられた状態では、前記パチスロ機が引き出されて回動されても第１筒部が前記第２筒部からスライドして伸び出し、前記第２筒部が前記ピンで前記第３筒部に対して傾動し、前記第３筒部が回動して、前記ノズル部が前記メダル取込み口から外れないように保持されることを特徴とするメダル補給管連結器。
【請求項２】
前記取付け部は、横連結部材の両端に設けられ、パチスロ機の背面を挟み込む左係止部材及び右係止部材と、前記横連結部材に取り付けられ、前記第１筒部乃至第３筒部と前記ノズル部を支持する位置調節板と、前記左係止部材と前記右係止部材に付勢するばねと、前記ばねを伸縮させて前記パチスロ機と前記取付け部の着脱を行なう操作レバーと、を備えることを特徴とする請求項１に記載のメダル補給管連結器。
【請求項３】
前記位置調節板が、前記横連結部材に左右位置調節可能に取り付けられることを特徴とする請求項２に記載のメダル補給管連結器。
【請求項４】
前記第３筒部は、前記位置調節板に筒用バンドで回動可能に取り付けられることを特徴とする請求項２に記載のメダル補給管連結器。
【発明の詳細な説明】
【技術分野】
【０００１】
本発明は、メダル補給管連結器に係り、より詳細には、パチスロ機のジャバラホースの端部に設けられ、パチスロ機のメダル取込み口に確実に装着できるメダル補給管連結器に関する。
【背景技術】
【０００２】
特許文献１には、遊技機のメダル補給装置が開示されている。遊技機が背中合わせに並ぶ島上部にはメダル補給装置が設けられ、レール上をメダルが積載されたバケットが走行し、指定された遊技機の上部に来ると、バケットの扉が開いてメダルがホッパーに投入される。ホッパーのメダルは、ジャバラホース（２ａ）を通過して遊技機のメダル取込み口に送り込まれる。
【０００３】
遊技機のメダル取込み口には、ジャバラホースが挿入される筒部とノズル部を支持する連結用金具がビスで取付けられる。ジャバラホースは、例えば点検等で遊技機を島の正面側に引き出すと、かなりの部分が筒部から抜け出る。遊技機を元の位置に押し戻す時、引き出されたジャバラホースが下方向に撓み、撓みが大きくなり、ジャバラホースが筒部から外れることがある。その場合メダルが遊技機に供給できなくなるので、点検作業終了後、ジャバラホースが所定の位置にあるかを確認する必要がある。遊技機の背面は、見やすい場所ではないので、確認作業が大変である。
【先行技術文献】
【特許文献】
【０００４】
【特許文献１】実開平５−７６４９０号公報
【発明の概要】
【発明が解決しようとする課題】
【０００５】
本発明の目的は、パチスロ機のメダル取込み口に簡単に装着でき、ジャバラホースが外れることがないメダル補給管連結器を提供することにある。
【課題を解決するための手段】
【０００６】
本発明によるメダル補給管連結器は、ジャバラホースの一端が固定される第１筒部と、前記第１筒部がスライド可能に挿入され、上部端から前記第１筒部が伸び出るように支持する第２筒部と、前記第２筒部の下端をピンで傾動可能に支持する第３筒部と、前記第３筒部の下側に設けられ、パチスロ機のメダル取込み口に差込まれるノズル部と、前記第１筒部乃至第３筒部と前記ノズル部を支持し、パチスロ機の背面に着脱可能に取り付けられる取付け部と、が備えられ、前記取付け部が前記パチスロ機の背面に取り付けられた状態では、前記パチスロ機が引き出されて回動されても第１筒部が前記第２筒部からスライドして伸び出し、前記第２筒部が前記ピンで前記第３筒部に対して傾動し、前記第３筒部が回動して、前記ノズル部が前記メダル取込み口から外れないように保持されることを特徴とする。
【０００７】
前記取付け部は、横連結部材の両端に設けられ、パチスロ機の背面を挟み込む左係止部材及び右係止部材と、前記横連結部材に取り付けられ、前記第１筒部乃至第３筒部と前記ノズル部を支持する位置調節板と、前記左係止部材と前記右係止部材に付勢するばねと、前記ばねを伸縮させて前記パチスロ機と前記取付け部の着脱を行なう操作レバーと、を備えることを特徴とする。
【０００８】
前記位置調節板が、前記横連結部材に左右位置調節可能に取り付けられることを特徴とする。
【０００９】
前記第３筒部は、前記位置調節板に筒用バンドで回動可能に取り付けられることを特徴とする。
【発明の効果】
【００１０】
本発明によるメダル補給管連結器によれば、
（ａ）ジャバラホースの一端が固定される第１筒部と、第１筒部がスライド可能に挿入され、伸び出るように支持する第２筒部を設けたので、パチスロ機を正面方向に引き出した場合、第１筒部が第２筒部から伸び出て、パチスロ機の移動に追随できる。ジャバラホースは第１筒部に固定されるので、パチスロ機を引き出しても外れることはない
（ｂ）第２筒部を傾動可能に支持する第３筒部を設けたので、例として第２筒部がピンで第３筒部に支持されるので、第２筒部が第３筒部に対して傾動し、パチスロ機の正面方向への引き出しに追随できる。
（ｃ）着脱可能な取付け部を設けたので、取付部をパチスロ機から外せば、第１筒部、第２筒部、第３筒部及びノズル部がパチスロ機から離れるので、パチスロ機の撤去が容易にできる。新台を設置した時、直ちにノズル部がメダル取込み口に差込めるようにメダル補給管連結器を取付けできる。
【００１１】
取付け部に、パチスロ機の背面を挟み込む左係止部材と右係止部材を設け、ばねと操作レバーで動かすようにしたので、ワンタッチの着脱ができる。ビスやクギでノズル部をパチスロ機に固定する場合に比べて、取付け取り外しが極めて容易である。ジャバラホースの一端に設けたメダル補給管連結器をパチスロ機のメダル取込み口に簡単に装着できる。
【００１２】
位置調節板は、横連結部材に左右位置調節可能に取り付けるので、位置調節板の位置を調節することで、ノズル部の位置をメダル取込み口の位置に合わせることができる。
【００１３】
第３筒部は、取付け部に対して回動可能に取り付けたので、例えばパチスロ機を正面に引き出した後、左側下端をピボットにして９０°の回動を行なっても追随できる。
【図面の簡単な説明】
【００１４】
【図１】本発明によるメダル補給管連結器の取付け状態を示す図である。
【図２】本発明によるメダル補給管連結器の取付け状態を示す図である。
【図３】本発明によるメダル補給管連結器の取付け状態を示す図である。
【図４】図１左側のパチスロ機の背面図である。
【図５】図１左側のパチスロ機の平面図である。
【図６】図１右側のパチスロ機の左側面図である。
【図７】第１筒部と第２筒部と第３筒部の動作説明図である。
【図８】第１筒部と第２筒部と第３筒部の動作説明図である。
【図９】筒用バンドと形状変換バンドの部品図である。
【図１０】位置調節板の構成図である。
【図１１】取付け部の左係止部材付近を示す斜視図である。
【発明を実施するための形態】
【００１５】
以下、図面を参照して、本発明によるメダル補給管連結器を詳しく説明する。
【００１６】
図１は、本発明によるメダル補給管連結器１００の取付け状態を示す図である。図１は、島１にパチスロ機６が背中合わせに並んで設置された例である。パチスロ機６は、脚部４の上側のテーブル５に設置される。島枠上部２には、メダル供給ライン３が構築されている。メダルを積載したバケットがレール上を走行し、指定されたパチスロ機６のジャバラホース１０にメダルを供給する。
【００１７】
図１の左側のパチスロ機６は、正面側に引き出され、正面側の下部の１点をピボットにして約９０°回動させた状態にある。パチスロ機６の背面には、メダル補給管連結器１００が取り付けられる。メダル補給管連結器１００は、ジャバラホース１０の一端に連結される第１筒部１１と、第１筒部１１がスライド可能に挿入され、第１筒部１１が伸び出せるように支持する第２筒部１２と、第２筒部１２の下端に設けられ、第２筒部１２を回動可能に支持する第３筒部１３と、第３筒部１３の下側に設けられ、パチスロ機６の背面に設けられたメダル取込み口７に差込まれるノズル部１４と、第３筒部１３とノズル部１４に連結され、パチスロ機６の背面に取り付けられる取付け部１５と、を備える。なお、第１筒部１１〜第３筒部１３は、本実施例では円筒としたが多角形の角筒でもよい。また、筒の側面に窓や縦に長いスリットがあってもよい。材質は、金属製又は樹脂製にできる。第１筒部１１〜第３筒部１３にジャバラホースを採用してもよい。
【００１８】
図１の左側のパチスロ機６は、正面側に引き出されて、第１筒部１１が第２筒部１２からスライドして伸び出している。一方、右側のパチスロ機６は、正面側に引き出されていないので、メダル補給管連結器１００の第１筒部１１は、第２筒部１２の内部に収納され、全体に長さが短くなり、第１筒部１１と第２筒部１２は、略鉛直な状態にある。ノズル部１４は、メダル取込み口７に差込まれる。図１右側のメダル補給管連結器１００のジャバラホース１０は、横線で塗りつぶし、下端の位置がわかるようにした。
【００１９】
図２は、本発明によるメダル補給管連結器１００の取付け状態を示す図である。図２は、パチスロ機６が、壁９を背にして設置された例である。ジャバラホース１０が、図１の場合より少し奥にあるので、パチスロ機６が引き出されていない状態（通常状態）では、第１筒部１１と第２筒部１２は鉛直ではなく少し傾いた状態にある。
【００２０】
図３は、本発明によるメダル補給管連結器１００の取付け状態を示す図である。図３は、図２と同じ例で、パチスロ機６は壁９を背にして設置される。図３のパチスロ機６は、正面側に引き出され、約９０°回動された状態を示す。図１左側のパチスロ機６の引き出された状態と比較して、第１筒部１１が第２筒部１２からスライドして、より大きく伸び出ている。
【００２１】
図４は、図１左側のパチスロ機６の背面図である。図４では、第１筒部１１が第２筒部１２にスライド可能に挿入され、第１筒部１１の大部分が第２筒部１２の中にある。ジャバラ固定バンド１９で、挿入したジャバラホース１０が第１筒部１１に締め付け固定される。なお、ジャバラホース１０の先端をこれとは別に第１筒部１１に固定している。第１筒部１１のジャバラホース１０が挿入される箇所には複数のスリットが設けられるので、締め付けで折れ曲がることにより、ジャバラホース１０を抜けないようにする。
【００２２】
第２筒部１２の下側には、第３筒部１３が連結されている。第３筒部１３は上部が斜めに切断されており、第２筒部１２をピンで傾斜可能に支持している。第３筒部１３は、筒用バンド１６、１７で、回動可能かつ上下動不可に位置調節板２３に取り付けられる。本実施例では、筒用バンド１６、１７の２本を使用したが幅の太い１本でもよい。上下動不可とするため、第３筒部１３には、バンドの幅で溝が設けられる。もしくは突起を設けてもよい。第３筒部１３の下側には、ノズル部１４が設けられる。形状変換バンド１８は、第３筒部１３の下が円形で、ノズル部１４の上部が矩形で、サイズも異なるので、形状をなだらかに変換する部材として設けた。ノズル部１４の上部を第３筒部１３の形状に整合させるなら、形状変換バンド１８はなくてもよい。なお、位置調節板２３は、長孔９が設けられ、横連結部材２０に左右位置調節可能に取り付けられる。
【００２３】
図４に示すように、取付け部１５は、横連結部材２０と、右係止部材２１と、左係止部材２２と、位置調節板２３と、ばね２５と、ばね２５を伸縮させる操作レバー２４（図５参照）と、を備える。操作レバー２４の操作でカム２７が回動してばねを伸縮させるが、カム２７によらずテコでもよい。ばね２５は、第１ばね２５ａと第２ばね２５ｂを直列に繋いだ。第１ばね２５ａの径は、第２ばね２５ｂよりも細い。第１ばね２５ａは、左係止部材２２を大きく押し戻すために使用する。第２ばね２５ｂは、操作レバー操作で左係止部材２２を筐体にきつく挟み込むために使用する。取付け部１５が右係止部材２１と左係止部材２２で、パチスロ機６筐体の背面を挟み込むので、メダル取込み口７からノズル部１４が抜けないようにできる。右係止部材２１と左係止部材２２は縦の長さＬを有しており、確実に挟み込める。
【００２４】
図５は、図１左側のパチスロ機６の平面図である。第２筒部１２の径は、第１筒部１１の径より太く、第３筒部１２の径は第２筒部１１の径より太い。右係止部材２１と左係止部材２２は、Ｌ形の金具である。操作レバー２４を一方に回動すると、カム２７が回り、左係止部材２２を右係止部材２１の方向に押し込むことができる。操作レバー２４を他方に回動すると、カム２７が元に戻り、左係止部材２２を右係止部材２１から離れる方向に戻される。
【００２５】
図６は、図１右側のパチスロ機６の左側面図である。パチスロ機６は、正面側に引き出されていないので、メダル補給管連結器１００の第１筒部１１は、第２筒部１２の内部に収納され、第１筒部１１と第２筒部１２は、略鉛直な状態にある。第３筒部１３は上部が斜めに切断され、第２筒部１２をピンで傾斜可能に支持している。この実施例では、ジャバラホース１０の下端は、第１筒部１１の内部を通して、第１筒部１１の下端で固定している。
【００２６】
図７は、第１筒部１１と第２筒部１２と第３筒部１３の動作説明図である。図７（Ａ）に示すように、第２筒部１２には、第１筒部１１がスライド可能に挿入されるので、第２筒部１２に第１筒部１１が収納され、全体に長さが短くなった状態にできる。図７（Ｂ）に示すように、第２筒部１２の下端両側の位置にはピン２８が設けられ、第２筒部１２と第３筒部１３とピン結合されるので、第２筒部１２を傾動可能に支持することができる。
【００２７】
図８は、第１筒部１１と第２筒部１２と第３筒部１３の動作説明図である。図８（Ａ）は、パチスロ機６が引き出されて、第１筒部１１と第２筒部１２が、ピン２８により第３筒部１３に対して図面右方向に傾斜している状態とする。この時、パチスロ機６がピボットを中心に９０°回動したとすると、図８（Ｂ）に示すように、取付け部１５が一点鎖線で示すように動き、これに合わせて筒用バンド１６、１７も動く。しかし第３筒部１３は、筒用バンド１６、１７に回動可能に支持されているので、動くことない。そのため、第１円筒１１、第２筒部１２、それに第３筒部１３が、ねじれることがない。なお、メダル補給管連結器１００がパチスロ機６に装着されていない場合は、取付け部１５の自重により第１筒部１１が第２筒部１２から伸び出て、メダル補給管連結器１００がジャヤバラホース１０に下方にぶら下がるような状態となる。
【００２８】
図９は、筒用バンド１６、１７と形状変換バンド１８の部品図である。筒用バンド１６、１７は、半円形で、第３筒部１３を回動可能に位置調節板２３に支持する。形状変換バンド１８は上部が大きな矩形で、下部がやや小さな矩形で、位置調節板２３に固定され、断面が円形から矩形の形状変換を行なう部材として使用している。
【００２９】
図１０は、位置調節板２３の構成図である。位置調節板２３は、上部取付け板２３ａ、バンド取付け板２３ｂ、及び底部取付け板２３ｃの３枚の板材からなる。これに限らず１枚の板で構成してもよい。
【００３０】
図１１は、取付け部１５の左係止部材２２付近を示す斜視図である。円Ｃ１と円Ｃ２に、カム２７と操作レバー２４の関係を示す。操作レバー２４は、レバー軸２４ａを中心に反対側にカム２７が設けられる。Ｃ１に示すように、操作レバー２４が下方向を向いている場合は、左係止部材２２がパチスロ機の背面を挟み込んでいない。Ｃ２に示すように、操作レバー２４が水平方向を向いている場合は、左係止部材２２がパチスロ機の背面を挟み込む。
【００３１】
本発明によるメダル補給管連結器１００によれば、
（１）第１筒部１１にジャバラホースの一端が固定され、第１筒部〜第３筒部を支持する取付け部１５がパチスロ機の背面を挟み込むので、ジャバラホースが外れることはない。また、取付け部１５の取り付け取り外しも容易である。
（２）第２筒部に第１筒部１１をスライド可能に挿入したので、パチスロ機を正面方向に引き出した場合、第２筒部から第１筒部が伸び出て、パチスロ機の移動に追随できる。パチスロ機を元の位置に戻した場合、第１筒部が第２筒部にスライドして収納され、ジャバラホースがねじれることがない。
（３）ピン結合により第２筒部を傾動可能に支持する第３筒部１３を設けたので、第２筒部が傾動でき、パチスロ機の正面方向への引き出しに追随できる。
（４）第３筒部１３は、位置調節板２３に回動可能に取り付けたので、パチスロ機を正面に引き出した後の、例えば９０°回動に対して追随できる。
（５）取付け部１５に、ばねと操作レバーで動かす左係止部材と右係止部材を設けたので、パチスロ機の背面にワンタッチでの着脱ができる。
【産業上の利用可能性】
【００３２】
本発明は、パチスロ機のメダル補給管であるジャバラホースの端部に設けられ、ノズル部をパチスロ機のメダル取込み口に、簡単かつ確実に装着できるメダル補給管連結器として好適である。
【符号の説明】
【００３３】
１    島
２    島枠上部
３    メダル供給ライン
４    脚部
５    テーブル
６    パチスロ機
７    メダル取込み口
８    壁
９    長孔
１０    ジャバラホース
１０ａ    ホース端部
１１    第１筒部
１２    第２筒部
１３    第３筒部
１４    ノズル部
１５    取付け部
１６、１７    筒用バンド
１８    形状変換バンド
１９    ジャバラ固定バンド
２０    横連結部材
２１    右係止部材
２２    左係止部材
２３    位置調節板
２３ａ    上部取付け板
２３ｂ    バンド取付け板
２３ｃ    底部取付け板
２４    操作レバー
２４ａ    レバー軸
２５    ばね
２５ａ    第１ばね
２５ｂ    第２ばね
２７    カム
２８    ピン
１００    メダル補給管連結器
【要約】
【課題】パチスロ機のメダル取込み口に簡単に装着でき、ジャバラホースが外れることがないメダル補給管連結器を提供する。
【解決手段】ジャバラホースの一端が固定される第１筒部と、第１筒部がスライド可能に挿入され、上部端から第１筒部が伸び出るように支持する第２筒部と、第２筒部の下端を傾動可能に支持する第３筒部と、第３筒部の下側に設けられ、パチスロ機のメダル取込み口に差込まれるノズル部と、第１筒部乃至第３筒部とノズル部を支持し、パチスロ機の背面に着脱可能に取り付けられる取付け部と、が備えられる。
【選択図】図１【図１】
0006846493.tif 000002
【図２】
0006846493.tif 000003
【図３】
0006846493.tif 000004
【図４】
0006846493.tif 000005
【図５】
0006846493.tif 000006
【図６】
0006846493.tif 000007
【図７】
0006846493.tif 000008
【図８】
0006846493.tif 000009
【図９】
0006846493.tif 000010
【図１０】
0006846493.tif 000011
【図１１】
0006846493.tif 000012